(57)【要約】【課題】装着時におむつの脚周りに沿った部分を着用者の脚周りに確実に密着させることができるとともに、着用者の股下部及び臀部と対向するおむつの部分を効果的に引き締めて着用者の股下部及び臀部とおむつの間に隙間が生じるのを防止できる使い捨ておむつを提供する。【解決手段】この使い捨ておむつ１では、第１脚周り弾性部材４１がカバー部材１１の股下部１１ｆを略横方向Ｘに横断するとともに、カバー部材１１の股下部１１ｆから左右両側の縁部１１ｅに沿って略後側に向けて延び、第１脚周り弾性部材４１の左右両側の端部４１ａが左右のファスナー接合部１１ｄ又はその近傍まで延びている。また、複数の臀部弾性部材４４が、カバー部材１１における第１脚周り弾性部材４１が股部１１ｃを横断している部分よりも後側の臀部１１ｇに付与されている。【選択図】図１
2011000193.tif 000002
【特許請求の範囲】
【請求項１】
前腹部、後背部、及び前記前腹部と前記後背部との間に設けられた股部とを有するカバー部材と、
排泄液を吸収する吸収素材を有し、前記カバー部材の内部又は肌面側に配置された吸収部材と、
前記カバー部材の前記後背部の左右両側の縁部に接合された左右の第１止着部材と、
前記カバー部材の前記前腹部の外面側に設けられ、前記左右の第１止着部材が着脱自在に止着される第２止着部材と、
前記カバー部材に付与された少なくとも１つの第１脚周り弾性部材と、
前記カバー部材に付与された複数の臀部弾性部材と、
を備え、
前記第１脚周り弾性部材は、伸張された状態で、前記カバー部材の前記後背部における前記左右の第１止着部材が接合された左右のファスナー接合部のうちのいずれか一方又はその近傍から、前記股部の左右両側の縁部のうちの一方の縁部に沿って略前側に向けて延び、前記股部の股下部にて前記股部を略横方向に横断した後、前記股部の左右両側の縁部のうちの他方の縁部に沿って略後側に向けて延び、さらに前記左右のファスナー接合部のうちのいずれか他方又はその近傍まで延びており、
前記複数の臀部弾性部材は、前記カバー部材における前記第１脚周り弾性部材が前記股部を横断している部分よりも後側の臀部に、縦方向に互いに間隔をあけて略前記横方向に沿って伸張された状態で付与されていることを特徴とする使い捨ておむつ。
【請求項２】
請求項１に記載の使い捨ておむつにおいて、
前記吸収部材の前記吸収素材は、前記縦方向に沿って延びる少なくとも１つの長孔部又は溝部を有することを特徴とする使い捨ておむつ。
【請求項３】
請求項１に記載の使い捨ておむつにおいて、
前記吸収部材の前記吸収素材は、前記横方向に間隔をあけて配置された複数の部分集合体によって構成され、
前記部分集合体の間に、略前記縦方向に沿って延びる隙間部が設けられていることを特徴とする使い捨ておむつ。
【請求項４】
請求項１ないし請求項３のいずれかに記載の使い捨ておむつにおいて、
前記第１止着部材は、
第１タブと、前記第１タブの前記縦方向の前側に設けられた第２タブとを有し、前記カバー部材の前記後背部の前記横方向の前記左側の縁部又は前記右側の縁部に接合されたファスニング基材と、
前記ファスニング基材の前記第１タブに設けられ、前記第２止着部材に着脱自在に止着される第１止着エレメントと、
前記ファスニング基材の前記第２タブに設けられ、前記第２止着部材に着脱自在に止着される第２止着エレメントと、
を備え、
前記少なくとも１つの第１脚周り弾性部材うちの最も後端側に位置する第１脚周り弾性部材の左右両側の端部は、前記横方向から見て、前記ファスニング基材の前記第１タブに設けられた前記第１止着エレメントの前記縦方向の前側の端部と、前記第２タブに設けられた前記第２止着エレメントの前記縦方向の前側の端部との間に配置されていることを特徴とする使い捨ておむつ。
【請求項５】
請求項４に記載の使い捨ておむつにおいて、
前記少なくとも１つの第１脚周り弾性部材のすべての左右両側の端部は、前記横方向から見て、前記ファスニング基材の前記第１タブに設けられた前記第１止着エレメントの前記縦方向の前記前側の端部と、前記ファスニング基材の前記縦方向の前側の端部との間に配置されていることを特徴とする使い捨ておむつ。
【請求項６】
請求項１ないし請求項５のいずれかに記載の使い捨ておむつにおいて、
前記少なくとも１つの第１脚周り弾性部材と前記複数の臀部弾性部材とは、互いに交差しないように配置されていることを特徴とする使い捨ておむつ。
【請求項７】
請求項１ないし請求項６のいずれかに記載の使い捨ておむつにおいて、
前記カバー部材に付与された少なくとも１つの第２脚周り弾性部材をさらに備え、
前記第２脚周り弾性部材は、前記カバー部材の前記股部の前記股下部よりも前側の領域において、伸張された状態で、当該領域の左右両側の縁部に沿った部分、及び前記股下部を略前記横方向に横断する部分に、連続的に連なって付与されていることを特徴とする使い捨ておむつ。
【請求項８】
請求項７に記載の使い捨ておむつにおいて、
前記吸収部材の前記吸収素材は、前記横方向に沿った幅が拡大された前側及び後側の拡幅部と、その前側及び後側の拡幅部の間に設けられ、前記横方向に沿った幅が狭められた括れ部とを有し、
すべての前記第２脚周り弾性部材の左右両側の端部は、前記縦方向から見て、前記吸収素材の前記前側の拡幅部の左右両側の縁部よりも前記横方向の内側に位置していることを特徴とする使い捨ておむつ。
【請求項９】
請求項７又は請求項８に記載の使い捨ておむつにおいて、
前記カバー部材の左右両側の縁部に沿って伸張された状態で付与された少なくとも１つの左右の第３脚周り弾性部材をさらに備え、
前記左右の第３脚周り弾性部材は、前記第１脚周り弾性部材及び前記第２脚周り弾性部材と交差していることを特徴とする使い捨ておむつ。
【請求項１０】
請求項１ないし請求項９のいずれかに記載の使い捨ておむつにおいて、
前記複数の臀部弾性部材は、前記カバー部材における前記第１止着部材の前側の縁部よりも前側の領域に付与されていることを特徴とする使い捨ておむつ。
【発明の詳細な説明】
【技術分野】
【０００１】
本発明は、着脱自在な止着部材を備えた所謂テープタイプの使い捨ておむつに関する。
【背景技術】
【０００２】
従来の使い捨ておむつとしては、例えば特許文献１ないし３に記載のものがある。特許文献１に記載の使い捨ておむつでは、カバー部材の後側における左右両側の縁部には、着脱自在に止着される左右の止着部材（１３）が付与されている。また、カバー部材には、その股下部を横方向に横断するように前側及び後側の脚周り弾性部材（８，９）が付与されている。
【０００３】
しかし、この特許文献１に記載の使い捨ておむつでは、後側の脚周り弾性部材（９）の左右両側の端部が、カバー部材における止着部材（１３）が接合される接合部の近傍まで到達することなく、接合部よりも大きく股下側の位置で止まっている。このため、おむつの装着時において、止着部材（１３）又はその周辺を手で持って着用者の腹側に引き上げて、カバー部材の前側の外側面に止着するときに、止着部材（１３）又はその周辺に与えられる引き上げのための力が、後側の脚周り弾性部材（９）に効率よく伝達されず、後側の脚周り弾性部材（９）が緩和したままの状態でおむつが装着されてしまう場合がある。後側の脚周り弾性部材（９）が緩和したままの状態であると、後側の脚周り弾性部材（９）によるおむつの脚周り部に対する締め付け効果が発揮されず、着用者の脚周りとおむつとの間に隙間が生じ、その隙間が尿等の排泄物のおむつの外部に漏れの原因となる。
【０００４】
また、特許文献１に記載の使い捨ておむつでは、着用者の臀部とおむつの間に隙間が生じる場合がある。おむつと着用者のとの臀部との間に隙間があると、おむつの吸収部材による尿等の排泄物の迅速な吸収が妨げられ、排泄物の漏れを誘発させることがある。
【０００５】
特許文献２に記載の使い捨ておむつでは、脚周り弾性部材（６）の後端部がカバー部材における止着部材（１０）が接合された接合部まで到達しているが、脚周り弾性部材（６）はカバー部材の左右両側の脚周り部分に沿って延設され、カバー部材の股下部を横方向に横断していない。このため、おむつの股下部の引き締めが不十分となり、着用者の股下部とおむつとの間に隙間が生じてしまい、その隙間が尿等の排泄物の漏れを誘発させるおそれがある。また、この特許文献２に記載の使い捨ておむつにおいても、特許文献１に記載の使い捨ておむつと同様に、着用者の臀部とおむつの間に隙間が生じ、尿等の排泄物の漏れを誘発させるおそれがある。
【０００６】
特許文献３に記載の使い捨ておむつでは、着用者の尿道付近を覆うおむつの部分に横方向に延びた複数の弾性部材（２０）が設けられている。しかし、この特許文献３に記載の使い捨ておむつにおいても、特許文献１及び２に記載の使い捨ておむつと同様に、着用者の臀部とおむつの間に隙間が生じ、尿等の排泄物の漏れを誘発させるおそれがある。
【０００７】
例えば、大人用の所謂テープタイプの使い捨ておむつの場合では、寝た姿勢でいることの多い人（例えば、寝たきりの人）に利用される頻度が高いため、尿等の排泄物の漏れはおむつの前側よりも後側で生じる割合が高い。このため、大人用の所謂テープタイプの使い捨ておむつの場合では、おむつの後側における漏れを防止することが重要である。
【先行技術文献】
【特許文献】
【０００８】
【特許文献１】特開２０００−２６２５５３号公報
【特許文献２】特開平１０−３２３３６９号公報
【特許文献３】特開平１１−３０９１６６号公報
【発明の概要】
【発明が解決しようとする課題】
【０００９】
そこで、本発明の解決すべき課題は、装着時におむつの脚周りに沿った部分を着用者の脚周りに確実に密着させることができるとともに、着用者の股下部及び臀部と対向するおむつの部分を効果的に引き締めて着用者の股下部及び臀部とおむつの間に隙間が生じるのを防止できる使い捨ておむつを提供することである。
【課題を解決するための手段】
【００１０】
上記の課題を解決するため、請求項１の発明では、前腹部、後背部、及び前記前腹部と前記後背部との間に設けられた股部とを有するカバー部材と、排泄液を吸収する吸収素材を有し、前記カバー部材の内部又は肌面側に配置された吸収部材と、前記カバー部材の前記後背部の左右両側の縁部に接合された左右の第１止着部材と、前記カバー部材の前記前腹部の外面側に設けられ、前記左右の第１止着部材が着脱自在に止着される第２止着部材と、前記カバー部材に付与された少なくとも１つの第１脚周り弾性部材と、前記カバー部材に付与された複数の臀部弾性部材とを備え、前記第１脚周り弾性部材は、伸張された状態で、前記カバー部材の前記後背部における前記左右の第１止着部材が接合された左右のファスナー接合部のうちのいずれか一方又はその近傍から、前記股部の左右両側の縁部のうちの一方の縁部に沿って略前側に向けて延び、前記股部の股下部にて前記股部を略横方向に横断した後、前記股部の左右両側の縁部のうちの他方の縁部に沿って略後側に向けて延び、さらに前記左右のファスナー接合部のうちのいずれか他方又はその近傍まで延びており、前記複数の臀部弾性部材は、前記カバー部材における前記第１脚周り弾性部材が前記股部を横断している部分よりも後側の臀部に、縦方向に互いに間隔をあけて略前記横方向に沿って伸張された状態で付与されている。
【００１１】
また、請求項２の発明では、請求項１の発明に係る使い捨ておむつにおいて、前記吸収部材の前記吸収素材は、前記縦方向に沿って延びる少なくとも１つの長孔部又は溝部を有する。
【００１２】
また、請求項３の発明では、請求項１の発明に係る使い捨ておむつにおいて、前記吸収部材の前記吸収素材は、前記横方向に間隔をあけて配置された複数の部分集合体によって構成され、前記部分集合体の間に、略前記縦方向に沿って延びる隙間部が設けられている。
【００１３】
また、請求項４の発明では、請求項１ないし請求項３のいずれかの発明に係る使い捨ておむつにおいて、前記第１止着部材は、第１タブと、前記第１タブの前記縦方向の前側に設けられた第２タブとを有し、前記カバー部材の前記後背部の前記横方向の前記左側の縁部又は前記右側の縁部に接合されたファスニング基材と、前記ファスニング基材の前記第１タブに設けられ、前記第２止着部材に着脱自在に止着される第１止着エレメントと、前記ファスニング基材の前記第２タブに設けられ、前記第２止着部材に着脱自在に止着される第２止着エレメントとを備え、前記少なくとも１つの第１脚周り弾性部材うちの最も後端側に位置する第１脚周り弾性部材の左右両側の端部は、前記横方向から見て、前記ファスニング基材の前記第１タブに設けられた前記第１止着エレメントの前記縦方向の前側の端部と、前記第２タブに設けられた前記第２止着エレメントの前記縦方向の前側の端部との間に配置されている。
【００１４】
また、請求項５の発明では、請求項４の発明に係る使い捨ておむつにおいて、前記少なくとも１つの第１脚周り弾性部材のすべての左右両側の端部は、前記横方向から見て、前記ファスニング基材の前記第１タブに設けられた前記第１止着エレメントの前記縦方向の前記前側の端部と、前記ファスニング基材の前記縦方向の前側の端部との間に配置されている。
【００１５】
また、請求項６の発明では、請求項１ないし請求項５のいずれかの発明に係る使い捨ておむつにおいて、前記少なくとも１つの第１脚周り弾性部材と前記複数の臀部弾性部材とは、互いに交差しないように配置されている。
【００１６】
また、請求項７の発明では、請求項１ないし請求項６のいずれかの発明に係る使い捨ておむつにおいて、前記カバー部材に付与された少なくとも１つの第２脚周り弾性部材をさらに備え、前記第２脚周り弾性部材は、前記カバー部材の前記股部の前記股下部よりも前側の領域において、伸張された状態で、当該領域の左右両側の縁部に沿った部分、及び前記股下部を略前記横方向に横断する部分に、連続的に連なって付与されている。
【００１７】
また、請求項８の発明では、請求項７の発明に係る使い捨ておむつにおいて、前記吸収部材の前記吸収素材は、前記横方向に沿った幅が拡大された前側及び後側の拡幅部と、その前側及び後側の拡幅部の間に設けられ、前記横方向に沿った幅が狭められた括れ部とを有し、すべての前記第２脚周り弾性部材の左右両側の端部は、前記縦方向から見て、前記吸収素材の前記前側の拡幅部の左右両側の縁部よりも前記横方向の内側に位置している。
【００１８】
また、請求項９の発明では、請求項７又は請求項８の発明に係る使い捨ておむつにおいて、前記カバー部材の左右両側の縁部に沿って伸張された状態で付与された少なくとも１つの左右の第３脚周り弾性部材をさらに備え、前記左右の第３脚周り弾性部材は、前記第１脚周り弾性部材及び前記第２脚周り弾性部材と交差している。
【００１９】
また、請求項１０の発明では、請求項１ないし請求項９のいずれかの発明に係る使い捨ておむつにおいて、前記複数の臀部弾性部材は、前記カバー部材における前記第１止着部材の前側の縁部よりも前側の領域に付与されている。
【発明の効果】
【００２０】
請求項１に記載の発明によれば、第１脚周り弾性部材の左右両側の部分が、カバー部材の股下部から左右両側の縁部に沿って略後側に向けて延び、さらに左右のファスナー接合部又はその近傍まで延びている。このため、使い捨ておむつの装着時において、左右の第１止着部材又はその周辺部分が把持されて着用者の腹側に引き上げられたときに、第１止着部材又はその周辺部分に与えられた引き上げのための力が、第１脚周り弾性部材に効率よく伝達され、第１脚周り弾性部材が確実に伸張されながら、おむつの左右両側の脚周り部分（特に、脚周り部分における第１脚周り弾性部材が付与された後側の部分）が着用者の脚周りにしっかりと密着される。そして、その状態で左右の第１止着部材をカバー部材の前腹部の外面側に設けられた第２止着部材に止着することにより、伸張された状態にある左右の第１脚周り弾性部材の収縮力によるおむつの脚周り部に対する締め付け効果を確実に発揮させることができ、おむつの左右両側の脚周り部分を着用者の脚周りに確実に密着させることができる。その結果、着用者の脚周りとおむつとの間に隙間が生じ、その隙間を介して尿等の排泄物がおむつの外部に漏れのを防止できる。
【００２１】
また、本発明によれば、第１脚周り弾性部材がカバー部材の股下部を略横方向に横断しているため、第１脚周り弾性部材の収縮力によりおむつの股下部を効果的に締め付けて、おむつの股下部を着用者の股下部に密着させることができる。その結果、着用者の股下部とおむつの間に隙間が生じ、その隙間によって尿等の排泄物の漏れが誘発されるのを防止できる。
【００２２】
また、本発明によれば、複数の臀部弾性部材が、カバー部材における第１脚周り弾性部材が股部を横断している部分よりも後側の臀部に、縦方向に互いに間隔をあけて略横方向に伸張された状態で付与されている。このため、臀部弾性部材の収縮力によりおむつの臀部を効果的に締め付けて、おむつの臀部を着用者の臀部に密着させることができる。その結果、おむつと着用者のとの臀部との間に隙間が生じ、その隙間によって尿等の排泄物の漏れが誘発させるのを防止できる。
【００２３】
また、本発明によれば、上記の如く、第１脚周り弾性部材及び臀部弾性部材により、おむつの股下部から後側の部分に位置する脚周り部分、及び臀部を効果的に締め付けることができる。このため、本発明に係る使い捨ておむつが、寝た姿勢でいることの多い人（例えば、寝たきりの人）に利用された場合にも、尿等の排泄物がおむつの後側から漏れるのを効果的に防止できる。
【００２４】
請求項２に記載の発明に関し、使い捨ておむつの装着は、おむつを平面状に展開した状態で、おむつの後背部及び臀部に着用者の後背部及び臀部を載せ、左右の第１止着部材の止着を行う場合が多い。また、おむつの股下部及び臀部には複数の弾性部材が横方向に沿って設けられる場合があり、そのような場合には、弾性部材の収縮力によりおむつの股下部及び臀部に皺が生じる場合がある。このため、おむつの装着時において着用者の臀部をおむつの臀部に載せるときに、おむつの臀部に生じた皺の影響により、着用者の臀部をおむつの臀部との位置合わせがしにくくなる等の装着作業に支障が出る場合がある。
【００２５】
この点に関し、本発明では、吸収部材の吸収素材が縦方向に沿って延びる少なくとも１つの長孔部又は溝部を有する。それ故、臀部弾性部材及び第１脚周り弾性部材におけるカバー部材の股下部を横断している部分の収縮力によってカバー部材の股下部及び臀部に略縦方向に沿って生じる皺を、吸収素材の長孔部又は溝部の位置に生じさせることができ、カバー部材の股下部及び臀部に生じる皺の位置を確実に制御することができる。その結果、おむつの意図しない部分に皺が生じ、おむつの装着がしににくなる等の不都合を回避できる。
【００２６】
また、長孔部又は溝部が圧縮されるように変形することによによって、臀部弾性部材及び第１脚周り弾性部材から吸収素材に与えられる略横方向の締め付けが緩和されるため、臀部弾性部材及び第１脚周り弾性部材からの略横方向の締め付けによって吸収素材に皺が発生するのを軽減でき、おむつに大きな皺が誘発されるのを防止できる。その結果、吸収素材の皺がおむつに大きな皺を誘発することにより、おむつの装着がしににくなる等の不都合を回避できる。
【００２７】
請求項３に記載の発明によれば、吸収部材の吸収素材が横方向に間隔をあけて配置された複数の部分集合体によって構成され、その部分集合体の間に、略縦方向に沿って延びる隙間部が設けられている。それ故、臀部弾性部材及び第１脚周り弾性部材におけるカバー部材の股下部を横断している部分の収縮力によってカバー部材の股下部及び臀部に略縦方向に沿って生じる皺を、吸収素材の部分集合体の間、すなわち隙間部の位置に生じさせることができ、カバー部材の股下部及び臀部に生じる皺の位置を確実に制御することができる。その結果、本発明においても、請求項２に記載の発明とほぼ同様に、おむつの意図しない部分に皺が生じ、おむつの装着がしににくなる等の不都合を回避できる。
【００２８】
また、部分集合体の間に存在する間隙部が圧縮されるように変形することによって、臀部弾性部材及び第１脚周り弾性部材から吸収素材に与えられる略横方向の締め付けが緩和されるため、臀部弾性部材及び第１脚周り弾性部材からの略横方向の締め付けによって吸収素材に皺が発生するのを軽減でき、おむつに大きな皺が誘発されるのを防止できる。その結果、この点においても、請求項２に記載の発明とほぼ同様に、吸収素材の皺がおむつに大きな皺を誘発することにより、おむつの装着がしににくなる等の不都合を回避できる。
【００２９】
請求項４に記載の発明によれば、少なくとも１つの第１脚周り弾性部材うちの最も後端側に位置する第１脚周り弾性部材の左右両側の端部は、横方向から見て、第１止着部材のファスニング基材の第１及び第２タブのうちの後側の第１タブに設けられた第１止着エレメントの縦方向の前側の端部と、前側の第２タブに設けられた第２止着エレメントの縦方向の前側の端部との間に配置されている。それ故、おむつの装着作業時において第１止着部材の第１及び第２タブが横方向の内側に引き寄せられたときに第１脚周り弾性部材に作用する張力に関し、前側の第２タブが引き寄せられたときに第１脚周り弾性部材に作用する張力の方が、後側の第１タブが引き寄せられたときに第１脚周り弾性部材に作用する張力よりも強くなっている。このため、おむつの装着時において、左右の第１止着部材の第１及び第２タブのうち、最初に第２タブの止着を行った後で第１タブの止着を行うという具合に、第１及び第２タブの止着を２段階に行うことにより、おむつを着用者の身体に確実にフィットさせることができる。より詳細には、まず第１段階で、左右の第１止着部材の前側の第２タブ又はその周辺部を着用者の腹側内方に引き寄せて、第２タブの第２止着エレメントを第１止着部材に止着する。これによって、第２タブ又はその周辺部分に与えられた引き寄せのための力が、第１脚周り弾性部材に効率よく伝達され、第１脚周り弾性部材が確実に伸張されながら、おむつの左右両側の脚周り部分（特に、脚周りの部分の第１脚周り弾性部材が付与された後側の部分）が着用者の脚周りにしっかりと密着される。続く第２段階で、左右の第１止着部材の後側の第１タブ又はその周辺部を着用者の腹側内方に引き寄せて、第１タブの第１止着エレメントを第１止着部材に止着する。これによって、おむつの臀部から腰回りの部分にかけた部分が着用者の身体にしっかりと密着される。その結果、おむつ全体を着用者の身体に確実にフィットさせることができる。
【００３０】
また、上記の如く、おむつの装着時において着用者の後背部及び臀部をおむつの後背部及び臀部に載せるときに、おむつの後背部に生じた皺の影響により、着用者の後背部及び臀部とおむつの後背部及び臀部との位置合わせがしにくくなる等の装着作業に支障が出る場合がある。この点に関し、本発明では、横方向から見て、カバー部材の後背部における第１止着部材の第１タブに設けられた第１止着エレメントの縦方向の前側の端部よりも後側の部分には、第１脚周り弾性部材が存在しておらず、カバー部材の後背部における第１脚周り弾性部材が付与された領域が抑制されている。このため、おむつの装着時にカバー部材の後背部における第１脚周り弾性部材の収縮力により収縮又は皺が生じる度合い及び範囲を抑制できる。その結果、おむつの後背部において第１脚周り弾性部材の収縮力により収縮又は皺が生じる度合い及び範囲が大きくなり、おむつの装着がしににくなる等の不都合を回避できる。
【００３１】
請求項５に記載の発明によれば、第１脚周り弾性部材のすべての左右両側の端部が、横方向から見て、ファスニング基材の第１タブに設けられた第１止着エレメントの縦方向の前側の端部と、ファスニング基材の縦方向の前側の端部との間に配置されている。このため、左右の第１止着部材の前側の第２タブ又はその周辺部を着用者の腹側に引き上げて、第２タブの第２止着エレメントを第２止着部材に止着する際に、第２タブ又はその周辺部分に与えられた引き寄せのための力が、すべての第１脚周り弾性部材に効率よく伝達される。その結果、第２ダブの第２止着部材への止着動作に伴って、すべての第１脚周り弾性部材を確実に伸張させながら、おむつの左右両側の脚周り部分（特に、脚周り部分の第１脚周り弾性部材が付与された後側の部分）を着用者の脚周りにしっかりと密着させることができる。
【００３２】
請求項６に記載の発明によれば、第１脚周り弾性部材と前記複数の臀部弾性部材とは、互いに交差しないように配置され、互いに独立している。このため、おむつの装着時において、左右の第１止着部材又はその周辺部が把持されて着用者の腹側に引き上げられ、その引き上げ力により第１脚周り弾性部材が引き伸ばされる際に、第１脚周り弾性部材の伸張の影響が臀部弾性部材に過度に及び、その影響によりおむつの後側における広範囲の部分に過度に引っ張り力が作用し、おむつの装着が困難になるのを防止できる。
【００３３】
請求項７に記載の発明によれば、第２脚周り弾性部材が、カバー部材の股部の股下部よりも前側の領域において、伸張された状態で、当該領域の左右両側の縁部に沿った部分、及び股下部に連続的に連なって付与されている。このため、第２脚周り弾性部材の収縮力により、おむつの脚周り部分における前側の部分を確実に引き締めて、着用者の脚周りに密着させることができる。
【００３４】
また、第２脚周り弾性部材がカバー部材の股下部を略横方向に横断しているため、第２脚周り弾性部材の収縮力によりおむつの股下部を効果的に締め付けて、おむつの股下部を着用者の股下部に密着させることができる。
【００３５】
請求項８に記載の発明によれば、第２脚周り弾性部材の左右両側の端部が、縦方向から見て、略砂時計形の形状を有する吸収素材の前側の拡幅部の左右両側の縁部よりも横方向の内側に位置している。このため、第２脚周り弾性部材の収縮力が、おむつの前側における吸収素材の左右両側から張り出した部分に及び、この部分が収縮するのを回避できる。これによって、おむつの装着時において、おむつの前側における吸収素材の左右両側から張り出した部分の取り扱いが容易となり、おむつを装着しやすくできる。
【００３６】
請求項９に記載の発明によれば、少なくとも１つの第３脚周り弾性部材が、カバー部材の左右両側の縁部に沿って伸張された状態で付与され、第１脚周り弾性部材及び第２脚周り弾性部材と交差している。このため、第３脚周り弾性部材の収縮力によって、おむつの脚周り部分における第１脚周り弾性部材と第２脚周り弾性部材の間に位置する部分を確実に締め付けることができ、おむつの脚周り部分の全体を着用者の脚周りに密着させることができる。
【００３７】
また、第３脚周り弾性部材が第１脚周り弾性部材及び第２脚周り弾性部材と交差しているため、第１脚周り弾性部材及び第２脚周り弾性部材のおむつの脚周りに沿った部分に、第３脚周り弾性部材を介して前後の繋がりが生じ、第１ないし第３脚周り弾性部材の引き締め力をおむつの脚周りに沿った部分を一体的に作用させることができ、おむつの脚周り部分を着用者の脚周りに確実に密着させることができる。
【００３８】
請求項１０に記載の発明に関し、使い捨ておむつの装着時には、上記の如く、着用者の後背部をおむつの後背部に載せるときに、おむつの後背部に生じた皺の影響により、着用者の臀部をおむつの臀部との位置合わせがしにくくなる等の装着作業に支障が出る場合がある。
【００３９】
この点に関し、本発明では、複数の臀部弾性部材が、カバー部材における第１止着部材の前側の縁部よりも前側の領域に付与されている。このため、おむつの装着時にカバー部材の後背部に、臀部弾性部材の収縮力により収縮又は皺が生じる度合い及び範囲を抑制できる。その結果、おむつの後背部において臀部弾性部材の収縮力により収縮又は皺が生じる度合い及び範囲が大きくなり、おむつの装着がしににくなる等の不都合を回避できる。
【図面の簡単な説明】
【００４０】
【図１】本発明の一実施形態に係る使い捨ておむつを平面的に展開した状態を示す図である。
【図２】図１の使い捨ておむつのＡ１−Ａ１線に沿った断面図である。
【図３】繊維集合体の平面図である。
【図４】図２の繊維集合体のＢ１−Ｂ１線に沿った断面図である。
【図５】図１の使い捨ておむつのＡ２−Ａ２線に沿った部分の断面図である。
【図６】図１の使い捨ておむつのＡ３−Ａ３線に沿った部分の断面図である。
【図７】図１の使い捨ておむつにおける繊維集合体の長孔部が設けられた部分が横方向に収縮した状態を示す断面図である。
【図８】図３及び図４に示す繊維集合体の変形例を示す断面図である。
【図９】図３及び図４に示す繊維集合体の他の変形例を示す平面図である。
【発明を実施するための形態】
【００４１】
図１は本発明の一実施形態に係る使い捨ておむつ（以下、単に「おむつ」という）を平面的に展開した状態を示す図であり、図２は図１に示すおむつのＡ１−Ａ１線に沿った断面図である。なお、図１、図２及び後述する他の図面において、横方向Ｘは着用者の左右方向に対応しており、縦方向Ｙは着用者の前後又は上下方向に対応している。また、図１に示すおむつ１の構成において、図１の図面上における上側がおむつ１の後側に対応している。
【００４２】
本実施形態に係るおむつ１は、図１及び図２に示すように、カバー部材１１と、吸収部材に相当する吸収コア１２と、第１止着部材に相当する左右のファスニング部材１３と、第２止着部材に相当する止着シート１４とを備えている。
【００４３】
カバー部材１１は、前腹部１１ａ、後背部１１ｂ、及び前腹部１１ａと後背部１１ｂとの間に設けられた股部１１ｃとを有している。カバー部材１１の前腹部１１ａ、後背部１１ｂ及び股部１１ｃは、着用者の前腹部、後背部及び股部にそれぞれあてがわれる。このようなカバー部材１１は、バックシート２１、トップシート２２、及び左右のサイドシート２３等を備えて構成されている。また、本実施形態に係るおむつ１では、カバー部材１１の左右両側の外縁の形状が略砂時計形に成形されている。なお、本実施形態に係るおむつ１では、吸収コア１２をカバー部材１１の内部（すなわち、バックシート２１とトップシート２２との間）に配置しているが、吸収コア１２又は吸収コア１２を含む吸収部材をカバー部材１１の肌面側に付与してもよい。
【００４４】
バックシート２１は、不透液性を有し、吸収コア１２の外面側に配置されている。バックシート２１は、より具体的には例えば、不織布シート２１１と、不織布シート２１１の肌面側に貼り合わされた不透液性の樹脂フィルム２１２とを備えている。不織布シート２１１には、例えば撥水性を有する合成繊維製不織布等が用いられる。樹脂フィルム２１２には、例えばポリエチレン等の合成樹脂製フィルム（不透液性でかつ通気性を有するフィルムが好ましい）等が用いられる。
【００４５】
トップシート２２は、透液性を有し、おむつ１の肌面側における横方向Ｘの中央部に、縦方向Ｙに沿って配置されている。左右のサイドシート２３は、不透液性を有し、トップシート２２の左右両側の部分に肌面側から重なるように、縦方向Ｙに沿って配置されている。トップシート２２は、透液性の合成繊維製不織布又は織布で形成される。サイドシート２３は、撥水性不織布等により形成される。
【００４６】
左右のサイドシート２３の横方向Ｘの内方側の部分は、トップシート２２から離反する方向（肌面側）に起立可能な起立部２３１となっている。この起立部２３１の横方向Ｘ内方側の端部には、少なくとも１つ（本実施形態では３つ）の略糸状の弾性部材３１〜３３が縦方向Ｙに沿って伸張された状態で付与されている。この弾性部材３１〜３３の収縮力によって起立部２３１が肌面側に向かって立ち上がり、立体ギャザーとして機能する。この立体ギャザーにより排泄物の横漏れが防止される。なお、この弾性部材３１〜３３を含む立体ギャザーは省略してもよい。
【００４７】
吸収コア１２は、着用者が排泄した排泄液（例えば、尿又は便に含まれる水分等）を吸収する吸収素材としての繊維集合体１２１等を備えて構成されている。より具体的には、吸収コア１２は、繊維集合体１２１と、その繊維集合体１２１を包む包装シート１２２とを備えている。繊維集合体１２１は、集合された繊維を少なくとも備えて構成され、望ましくは、繊維集合体１２１に混入又は散布された吸収性樹脂粉末を含んでいる。包装シート１２２は、透液性のシート材（例えば、ティッシュペーパー）によって構成されている。なお、吸収コア１２の変形例として、包装シート１２２を省略してもよい。なお、本実施形態では本発明に係る吸収素材として繊維集合体１２１を用いたが、繊維集合体１２１の代わりに（あるいは、繊維集合体１２１に追加して）、不織布等の透液性のシート材の間に吸収ポリマーを挟み込んで構成された吸収部材を用いてもよい。
【００４８】
また、吸収コア１２の繊維集合体１２１は、図３に示すように、横方向Ｘに沿った幅が拡大された前後の拡幅部１２１ａ，１２１ｂと、その前後の拡幅部１２１ａ，１２１ｂの間に設けられ、前記左右方向に沿った幅が狭められた括れ部１２１ｃとを有し、その厚み方向から見て略砂時計形の形状を有している。繊維集合体１２１の形状の他の例としては、略矩形、略楕円形等の種々の形状が採用可能である。
【００４９】
また、繊維集合体１２１は、図３及び図４に示すように、縦方向Ｙに沿って延びる少なくとも１つ（本実施形態では複数（例えば２つ））の長孔部１２１ｄが設けられている。長孔部１２１ｄの前側の端部１２１ｅは、後述する第２脚周り弾性部材４２のうちの最も前側に設けられた第２脚周り弾性部材４２１におけるおむつ１の股下部１１ｆを略横方向Ｘに横断している部分よりも前側に位置している。長孔部１２１ｄの後側の端部１２１ｆは、後述する臀部弾性部材４４のうちの最も後側に位置する臀部弾性部材４４１よりも後側に位置している。この長孔部１２１ｄの役割については後述する。
【００５０】
左右のファスニング部材１３は、カバー部材１１の後背部１１ｂの左右両側の縁部に接合され、おむつ１の止着に用いられる。より具体的には、ファスニング部材１３は、ファスニング基材１３１と、略シート状の第１及び第２止着エレメント１３２，１３３とを備えている。ファスニング基材１３１は、横方向Ｘの外側の縁部から横方向Ｘ外方に張り出す第１及び第タブ１３１ａ，１３１ｂを有し、不織布等のシート材によって形成されている。第１及び第２タブ１３１ａ，１３１ｂは、縦方向Ｙに間隔をあけて、第２タブ１３１ｂが第１タブ１３１ａの前側に位置するように形成されている。第１タブ１３１ａの肌面側に第１止着エレメント１３２が接合され、第２タブ１３１ｂの肌面側に第２止着エレメント１３３が接合されている。
【００５１】
第１及び第２止着エレメント１３２，１３３と、後述する止着シート１４とは、着脱自在に係合するループ材とフック材とによって構成されるいわゆる面ファスナーを構成しており、例えば、第１及び第２止着エレメント１３２，１３３にフック材が用いられ、止着シート１４にループ材が用いられる。止着シート１４の表面には、複数のループ構造が形成されている。止着エレメント１３２，１３３の表面には、止着シート１４のループ構造に着脱自在に係合する複数のフック構造が形成されている。なお、変形例として、第１及び第２止着エレメント１３２，１３３にループ材を用い、止着シート１４にフック材を用いてもよい。また、第１及び第２止着エレメント１３２，１３３及び止着シート１４として、互いに着脱自在に止着できれば面ファスナーに限らず、任意の構成を採用できる。例えば、第１及び第２止着エレメント１３２，１３３及び止着シート１４として、粘着テープ及びその粘着テープが着脱自在に付着される付着シートを用いてもよい。
【００５２】
左右のファスニング部材１３のファスニング基材１３１の横方向Ｘの内方側の縁部は、図１及び図５に示すように、バックシート２１とサイドシート２３との間に挟み込まれた状態で接着剤（例えば、ホットメルト接着剤）等の接合手段によりカバー部材１１の後背部１１ｂと接合されている。カバー部材１１の後背部１１ｂの左右両側の縁部におけるファスニング基材１３１を接合された領域が、後述するファスナー接合部１１ｄになっている。
【００５３】
止着シート１４は、シート状の形態を有し、カバー部材１１の前腹部１１ａの外面側に接合されており、左右のファスニング部材１３の第１及び第２タブ１３１ａ，１３１ｂに付与された第１及び第２止着エレメント１３２，１３３が着脱自在に止着される。より詳細には、本実施形態では、止着シート１４は、その後側の縁部が、カバー部材１１の前腹部１１ａを超えて股部１１ｃ側にはみ出すようにして、カバー部材１１の外面側に接合されている。
【００５４】
また、カバー部材１１には、少なくとも１つ（本実施形態では複数）の第１脚周り弾性部材４１、少なくとも１つ（本実施形態では複数）の第２脚周り弾性部材４２、少なくとも１つ（本実施形態では複数）の第３脚周り弾性部材４３、複数の臀部弾性部材４４、少なくとも１つ（本実施形態では複数）の前側ウエスト弾性部材４５、及び、少なくとも１つ（本実施形態では複数）の後側ウエスト弾性部材４６が設けられている。第１及び第２脚周り弾性部材４１，４２は、カバー部材１１の左右の脚周り部分及び股下部１１ｆの引き締めるためのものである。第３脚周り弾性部材４３は、カバー部材１１の左右の脚周り部分を引き締めるためのものである。臀部弾性部材４４は、カバー部材１１の後述する臀部１１ｇを引き締めるためのものである。前側及び後側ウエスト弾性部材４５，４６は、カバー部材１１の前側及び後側の縁部を引き締めるためのものである。
【００５５】
複数の第１脚周り弾性部材４１は、カバー部材１１の後背部１１ｂにおける左右のファスナー接合部１１ｄのうちのいずれか一方又はその近傍から、股部１１ｃの左右両側の縁部１１ｅのうちの一方の縁部１１ｅに沿って略前側に向けて延び、股部１１ｃの股下部１１ｆにて股部１１ｃを略横方向Ｘに横断している。そして、複数の第１脚周り弾性部材４１は、股部１１ｃを横断した後、股部１１ｃの左右両側の縁部１１ｅのうちの他方の縁部１１ｅに沿って略後側に向けて延び、さらに左右のファスナー接合部１１ｄのうちのいずれか他方又はその近傍まで延びている。複数の第１脚周り弾性部材４１は、このような配索経路に沿って互いに間隔をあけて伸張された状態でカバー部材１１に接着剤（例えば、ホットメルト接着剤）等の接合手段により接合されている。本実施形態では、第１脚周り弾性部材４１の左右両側の端部４１ａは、左右のファスナー接合部１１ｄの横方向Ｘの内側の縁部の近傍に縦方向Ｙに沿って整列されて配置されている。
【００５６】
より具体的には、複数の第１脚周り弾性部材４１うちの最も後端側に位置する第１脚周り弾性部材４１１の左右両側の端部４１１ａは、横方向Ｘから見て、ファスニング基材１３１の第１タブ１３１ａに設けられた第１止着エレメント１３２の縦方向Ｙの前側の端部Ｐ１と、第２タブ１３１ｂに設けられた第２止着エレメント１３３の縦方向Ｙの前側の端部Ｐ２との間に配置されている。
【００５７】
さらに具体的には、すべての第１脚周り弾性部材４１の左右両側の端部４１ａは、横方向Ｘから見て、ファスニング基材１３１の第１タブ１３１ａに設けられた第１止着エレメント１３２の縦方向Ｙの前側の端部Ｐ１と、ファスニング基材１３１の縦方向Ｙの前側の端部Ｐ３との間に配置されている。
【００５８】
より詳細には、本実施形態では、すべての第１脚周り弾性部材４１の左右両側の端部４１ａは、横方向Ｘから見て、ファスニング基材１３１の縦方向Ｙの中央Ｐ４とファスニング基材１３１の縦方向Ｙの前側の端部Ｐ３との間に配置されている。また、複数の第１脚周り弾性部材４１うちの最も後端側に位置する第１脚周り弾性部材４１１の左右両側の端部４１１ａは、横方向Ｘから見て、ファスニング基材１３１の縦方向Ｙの中央Ｐ４と第２タブ１３１ｂに設けられた第２止着エレメント１３２の縦方向Ｙの後側の端部Ｐ５との間に配置されている。さらに詳細には、最も後端側に位置する第１脚周り弾性部材４１１の左右両側の端部４１１ａは、横方向Ｘから見て、ファスニング基材１３１の縦方向Ｙの中央Ｐ４に配置されている。
【００５９】
また、本実施形態では、複数の第１脚周り弾性部材４１のうちの過半数の弾性部材４１は、カバー部材１１の縦方向Ｙの中央Ｐ６よりも前側にて股部１１ｃを横断している。複数の第１脚周り弾性部材４１のうちの残りの弾性部材４１は、カバー部材１１の縦方向Ｙの中央Ｐ６よりも後側にて股部１１ｃを横断している。
【００６０】
複数の第２脚周り弾性部材４２は、カバー部材１１の股部１１ｃの股下部１１ｆよりも前側の領域において、股部１１ｃの前側端部における左右両側の縁部のうちのいずれか一方から、股部１１ｃの左右両側の縁部１１ｅのうちの一方の縁部１１ｅに沿って略後側に向けて延び、股下部１１ｆの前側にて股部１１ｃを略横方向Ｘに横断している。そして、複数の第２脚周り弾性部材４２は、股部１１ｃを横断した後、股部１１ｃの左右両側の縁部１１ｅのうちの他方の縁部１１ｅに沿って略前側に向けて延び、さらに股部１１ｃの前側端部における左右両側の縁部のうちのいずれか他方まで延びている。複数の第２脚周り弾性部材４２は、このような配索経路に沿って互いに間隔をあけて伸張された状態でカバー部材１１に接着剤（例えば、ホットメルト接着剤）等の接合手段により接合されている。
【００６１】
より具体的には、すべての第２脚周り弾性部材４２の左右両側の端部４２ａは、縦方向Ｙから見て、吸収コア１２の繊維集合体１２１の前側の拡幅部１２１ａの左右両側の縁部Ｐ７よりも横方向Ｘの内側に位置している。
【００６２】
左右の複数の第３脚周り弾性部材４３は、カバー部材１１の左右両側の縁部に沿って伸張された状態で付与されている。本実施形態では、複数の第３脚周り弾性部材４３は、カバー部材１１の股下部１１ｆにおける左右両側の縁部の横方向Ｘのやや内側を通過するように、縦方向Ｙに沿って直線的に付与されている。複数の第３脚周り弾性部材４３の前側の端部４３ａは、カバー部材１１の前腹部１１ａの後側の縁部付近に位置している。複数の第３脚周り弾性部材４３の後側の端部４３ｂは、カバー部材１１の後背部１１ｂの縦方向Ｙの中間部付近に位置している。また、左右の複数の第３脚周り弾性部材４３は、第１脚周り弾性部材４１の左右両側の部分及び第２脚周り弾性部材４２の左右両側の部分と交差している。
【００６３】
複数の臀部弾性部材４４は、カバー部材１１における臀部１１ｇに縦方向Ｙに互いに間隔をあけて略横方向Ｘに沿って伸張された状態で、カバー部材１１に接着剤（例えば、ホットメルト接着剤）等の接合手段により接合されている。本実施形態において、カバー部材１１における臀部１１ｇとは、股部１１ｃにおける複数の第１脚周り弾性部材４１が股部１１ｃを横断している部分よりも後側に位置する領域をいう。また、臀部弾性部材４４と第１脚周り弾性部材４１とは、互いに交差しないように配置されている。また、すべての臀部弾性部材４４は、カバー部材１１におけるファスニング部材１３のファスニング基材１３１の前側の縁部Ｐ３よりも前側であって、最も後側に位置する第１脚周り弾性部材４１１が股部１１ｃを横断している部分よりも後側の領域に付与されている。
【００６４】
複数の前側ウエスト弾性部材４５は、カバー部材１１の前腹部１１ａの前側の縁部に沿って伸張された状態で、カバー部材１１に接着剤（例えば、ホットメルト接着剤）等の接合手段により接合されている。複数の前側ウエスト弾性部材４５は、カバー部材１１の前腹部１１ａの前側の縁部に沿って伸張された状態で、カバー部材１１に接着剤（例えば、ホットメルト接着剤）等の接合手段により接合されている。
【００６５】
第１及び第２脚周り弾性部材４１，４２及び臀部弾性部材４４は、第１弾性脚周り弾性部材４１について代表して図２に示すように、バックシート２１における不織布シート２１１と樹脂フィルム２１２との間に配置されている。左右の第３脚周り弾性部材４３は、図２に示すように、その一部の弾性部材４３がトップシート２２の左右両側の縁部の肌面側に位置するようにして、バックシート２１と左右のサイドシート２３との間に配置されている。前側及び後側ウエスト弾性部材４５，４６は、後側ウエスト弾性部材４６について代表して図６に示すように、トップシート２２とバックシート２１との間に配置されている。また、上述の弾性部材３１〜３３，４１〜４６を構成する弾性材（例えば、弾性糸）には、例えば使い捨ておむつに多用される弾性伸縮材料（ポリウレタン糸、天然ゴム等）が用いられる。
【００６６】
本実施形態に係るおむつ１の装着は、例えば、おむつ１を平面状に展開した状態で、おむつ１の後背部１１ｂ及び臀部１１ｇに着用者の後背部及び臀部を載せる。続いて、股部１１ｃの前側の部分及び前腹部１１ａを着用者の腹側に引き上げるとともに、後背部１１ｂの左右両側の部分を着用者の腹側に引き上げる。続いて、左右のファスニング部材１３の第１及び第２タブ１３１ａ，１３１ｂに付与されている第１及び第２止着エレメント１３２，１３３を止着シート１４に止着させる。なお、本実施形態では、左右のファスニング部材１３の第１及び第２タブ１３１ａ，１３１ｂの止着は、後述するように、第１段階で第２タブ１３１ｂの止着を行った後、第２段階で第１タブ１３１ａの止着を行うのが望ましい。
【００６７】
おむつ１が装着された状態で排泄が行われた場合には、尿等の排泄物がおむつ１の肌面側表面で受け止められる。このとき、排泄物に含まれる液体成分は、トップシート２２を透過して吸収コア１２に到達し、吸収コア１２によって吸収される。
【００６８】
本実施形態に係るおむつ１では、上記の如く、第１脚周り弾性部材４１の左右両側の部分が、カバー部材１１の股下部１１ｆから左右両側の縁部１１ｅに沿って略後側に向けて延び、さらに左右のファスナー接合部１１ｄ又はその近傍まで延びている。このため、おむつ１の装着時において、左右のファスニング部材１３又はその周辺部分が把持されて着用者の腹側に引き上げられたときに、ファスニング部材１３又はその周辺部分に与えられた引き上げのための力が、第１脚周り弾性部材４１に効率よく伝達され、第１脚周り弾性部材４１が確実に伸張されながら、おむつ１の左右両側の脚周り部分（特に、脚周り部分における第１脚周り弾性部材４１が付与された後側の部分）が着用者の脚周りにしっかりと密着される。そして、その状態で左右のファスニング部材１３をカバー部材１１の前腹部１１ａの外面側に設けられた止着シート１４に止着することにより、伸張された状態にある左右の第１脚周り弾性部材４１の収縮力によるおむつ１の脚周り部に対する締め付け効果を確実に発揮させることができ、おむつ１の左右両側の脚周り部分を着用者の脚周りに確実に密着させることができる。その結果、着用者の脚周りとおむつ１との間に隙間が生じ、その隙間を介して尿等の排泄物がおむつ１の外部に漏れのを防止できる。
【００６９】
また、第１脚周り弾性部材４１がカバー部材１１の股下部１１ｆを略横方向Ｘに横断しているため、第１脚周り弾性部材４１の収縮力によりおむつ１の股下部１１ｆを効果的に締め付けて、おむつ１の股下部１１ｆを着用者の股下部に密着させることができる。その結果、着用者の股下部とおむつ１の間に隙間が生じ、その隙間によって尿等の排泄物の漏れが誘発されるのを防止できる。
【００７０】
また、複数の臀部弾性部材４４が、カバー部材１１における第１脚周り弾性部材４１が股部１１ｃを横断している部分よりも後側の臀部１１ｇに、縦方向Ｙに互いに間隔をあけて略横方向Ｘに伸張された状態で付与されている。このため、臀部弾性部材４４の収縮力によりおむつ１の臀部１１ｇを効果的に締め付けて、おむつ１の臀部１１ｇを着用者の臀部に密着させることができる。その結果、おむつ１と着用者のとの臀部との間に隙間が生じ、その隙間によって尿等の排泄物の漏れが誘発させるのを防止できる。
【００７１】
また、本実施形態に係るおむつ１によれば、上記の如く、第１脚周り弾性部材４１及び臀部弾性部材４４により、おむつ１の股下部１１ｆから後側の部分に位置する脚周り部分、及び臀部１１ｇを効果的に締め付けることができる。このため、本実施形態に係るおむつ１が、寝た姿勢でいることの多い人（例えば、寝たきりの人）に利用された場合にも、尿等の排泄物がおむつの後側から漏れるのを効果的に防止できる。
【００７２】
また、おむつの装着時の装着作業に関し、着用者の臀部をおむつの臀部に載せるときに、おむつ１の臀部１１ｇに生じた皺の影響により、着用者の臀部をおむつの臀部との位置合わせがしにくくなる等の装着作業に支障が出る場合がある。また、おむつの股下部及び臀部には、本実施形態に係るおむつ１のように、複数の弾性部材が横方向に沿って設けられる場合があり、そのような場合には、弾性部材の収縮力によりおむつの股下部及び臀部に皺が生じる場合がある。
【００７３】
この点に関し、実施形態では、吸収コア１２の繊維集合体１２１が縦方向Ｙに沿って延びる少なくとも１つ（本実施形態では２つ）の長孔部１２１ｄを有する。それ故、図７に示すように、臀部弾性部材４４、及び第１及び第２脚周り弾性部材４１，４２におけるカバー部材１１の股下部１１ｆを横断している部分の収縮力によってカバー部材１１の股下部１１ｆ及び臀部１１ｇに略縦方向Ｙに沿って生じる皺５１，５２を、繊維集合体１２１の長孔部１２１ｄの位置に生じさせることができる。これによって、カバー部材１１の股下部１１ｆ及び臀部１１ｇに生じる皺５１，５２の位置を確実に制御することができるため、おむつ１の意図しない部分に皺が生じ、おむつ１の装着がしににくなる等の不都合を回避できる。
【００７４】
また、繊維集合体１２１の長孔部１２１ｄが圧縮されるように変形することによって臀部弾性部材４４及び第１及び第２脚周り弾性部材４１，４２から繊維集合体１２１に与えられる略横方向Ｘの締め付けが緩和されるため、臀部弾性部材４４及び第１及び第２脚周り弾性部材４１，４２からの略横方向Ｘの締め付けによって繊維集合体１２１に皺が発生するのを防止でき、繊維集合体１２１に皺が発生することによりおむつ１に大きな皺が誘発されるのを防止できる。その結果、繊維集合体１２１の皺がおむつ１に大きな皺を誘発することにより、おむつ１の装着がしににくなる等の不都合を回避できる。
【００７５】
また、本実施形態では、複数の第１脚周り弾性部材４１のうちの最も後端側に位置する第１脚周り弾性部材４１１の左右両側の端部４１１ａは、横方向Ｘから見て、ファスニング部材１３のファスニング基材１３１の後側の第１タブ１３１ａに設けられた第１止着エレメント１３２の縦方向Ｙの前側の端部Ｐ１と、前側の第２タブ１３１ｂに設けられた第２止着エレメント１３３の縦方向Ｙの前側の端部Ｐ２との間に配置されている。それ故、おむつ１の装着作業時においてファスニング部材１３の第１及び第２タブ１３１ａ，１３１ｂが横方向Ｘの内側に引き寄せられたときに第１脚周り弾性部材４１に作用する張力に関し、前側の第２タブ１３１ｂが引き寄せられたときに第１脚周り弾性部材４１に作用する張力の方が、後側の第１タブ１３１ａが引き寄せられたときに第１脚周り弾性部材４１に作用する張力よりも強くなっている。このため、おむつの装着時において、左右のファスニング部材１３の第１及び第２タブ１３１ａ，１３１ｂのうち、最初に第２タブ１３１ｂの止着を行った後で第１タブ１３１ａの止着を行うという具合に、第１及び第２タブ１３１ａ，１３１ｂの止着を２段階に行うことにより、おむつ１を着用者の身体に確実にフィットさせることができる。より詳細には、まず第１段階で、左右のファスニング部材１３の前側の第２タブ１３１ｂ又はその周辺部を着用者の腹側内方に引き寄せて、第２タブ１３１ｂの第２止着エレメント１３３を止着シート１４に止着する。これによって、第２タブ１３１ｂ又はその周辺部分に与えられた引き寄せのための力が、第１脚周り弾性部材４１に効率よく伝達され、第１脚周り弾性部材４１が確実に伸張されながら、おむつ１の左右両側の脚周り部分（特に、脚周りの部分の第１脚周り弾性部材４１が付与された後側の部分）が着用者の脚周りにしっかりと密着される。続く第２段階で、左右のファスニング部材１３の後側の第１タブ１３１ａ又はその周辺部を着用者の腹側内方に引き寄せて、第１タブ１３１ａの第１止着エレメント１３２を止着シート１４に止着する。これによって、おむつ１の臀部から腰回りの部分にかけた部分が着用者の身体にしっかりと密着される。その結果、おむつ１全体を着用者の身体に確実にフィットさせることができる。
【００７６】
また、上記の如く、おむつ１の装着時において着用者の後背部及び臀部をおむつ１の後背部１１ｂ及び臀部１１ｇに載せるときに、おむつ１の後背部１１ｂに生じた皺の影響により、着用者の後背部及び臀部とおむつ１の後背部１１ｂ及び臀部１１ｇとの位置合わせがしにくくなる等の装着作業に支障が出る場合がある。この点に関し、実施形態では、横方向Ｘから見て、カバー部材１１の後背部１１ｂにおけるファスニング部材１３の第１タブ１３１ａに設けられた第１止着エレメント１３２の縦方向Ｙの前側の端部Ｐ２よりも後側の部分には、第１脚周り弾性部材４１が存在しておらず、カバー部材１１の後背部１１ｂにおける第１脚周り弾性部材４１が付与された領域が抑制されている。このため、おむつ１の装着時にカバー部材１１の後背部１１ｂにおける第１脚周り弾性部材４１の収縮力により収縮又は皺が生じる度合い及び範囲を抑制できる。その結果、おむつ１の後背部１１ｂにおいて第１脚周り弾性部材４１の収縮力により収縮又は皺が生じる度合い及び範囲が大きくなり、おむつ１の装着がしににくなる等の不都合を回避できる。
【００７７】
また、本実施形態では、すべての第１脚周り弾性部材４１の左右両側の端部４１ａが、横方向Ｘから見て、ファスニング基材１３１の第１タブ１３１ａに設けられた第１止着エレメント１３２の縦方向Ｙの前側の端部Ｐ１と、ファスニング基材１３１の縦方向Ｙの前側の端部Ｐ３との間に配置されている。このため、左右のファスニング部材１３の前側の第２タブ１３１ｂ又はその周辺部を着用者の腹側に引き上げて、第２タブ１３１ｂの第２止着エレメント１３３を止着シート１４に止着する際に、第２タブ１３１ｂ又はその周辺部分に与えられた引き寄せのための力が、すべての第１脚周り弾性部材４１に効率よく伝達される。その結果、第２ダブ１３１ｂの止着シート１４への止着動作に伴って、すべての第１脚周り弾性部材４１を確実に伸張させながら、おむつ１の左右両側の脚周り部分（特に、脚周り部分の第１脚周り弾性部材４１が付与された後側の部分）を着用者の脚周りにしっかりと密着させることができる。
【００７８】
また、第１脚周り弾性部材４１と臀部弾性部材４４とは、互いに交差しないように配置され、互いに独立している。このため、おむつ１の装着時において、左右のファスニング部材１３又はその周辺部が把持されて着用者の腹側に引き上げられ、その引き上げ力により第１脚周り弾性部材４１が引き伸ばされる際に、第１脚周り弾性部材４１の伸張の影響が臀部弾性部材４４に過度に及び、その影響によりおむつ１の後側における広範囲の部分に過度に引っ張り力が作用し、おむつ１の装着が困難になるのを防止できる。
【００７９】
また、本実施形態では、複数の第２脚周り弾性部材４２が、カバー部材１１の股部１１ｃの股下部１１ｆよりも前側の領域において、伸張された状態で、当該領域の左右両側の縁部１１ｅに沿った部分、及び股下部１１ｆに連続的に連なって付与されている。このため、第２脚周り弾性部材４２の収縮力により、おむつ１の脚周り部分における前側の部分を確実に引き締めて、着用者の脚周りに密着させることができる。
【００８０】
また、第２脚周り弾性部材４２がカバー部材１１の股下部１１ｆを略横方向Ｘに横断しているため、第２脚周り弾性部材４２の収縮力によりおむつ１の股下部１１ｆを効果的に締め付けて、おむつ１の股下部１１ｆを着用者の股下部に密着させることができる。
【００８１】
また、本実施形態では、すべての第２脚周り弾性部材４２の左右両側の端部４２ａは、縦方向Ｙから見て、吸収コア１２の繊維集合体１２１の前側の拡幅部１２１ａの左右両側の縁部Ｐ７よりも横方向Ｘの内側に位置している。このため、第２脚周り弾性部材４２の収縮力が、おむつ１の前側における繊維集合体１２１の前側の拡幅部１２１ａから左右両側に張り出した部分（特に、前腹部１１ａの左右両側の部分）に及び、この部分が収縮するのを回避できる。これによって、おむつ１の装着時において、おむつ１の前側における繊維集合体１２１の前側の拡幅部１２１ａから左右両側に張り出した部分（特に、前腹部１１ａの左右両側の部分）の取り扱いが容易となり、おむつ１を装着しやすくできる。
【００８２】
また、本実施形態では、複数の第３脚周り弾性部材４３が、カバー部材１１の左右両側の縁部１１ｅに沿って伸張された状態で付与され、第１脚周り弾性部材４１及び第２脚周り弾性部材４２と交差している。このため、第３脚周り弾性部材４３の収縮力によって、おむつ１１の脚周り部分における第１脚周り弾性部材４１と第２脚周り弾性部材４２の間に位置する部分を確実に締め付けることができ、おむつ１の脚周り部分の全体を着用者の脚周りに密着させることができる。
【００８３】
また、第３脚周り弾性部材４３が第１脚周り弾性部材４１及び第２脚周り弾性部材４２と交差しているため、第１脚周り弾性部材４１及び第２脚周り弾性部材４２のおむつ１の脚周りに沿った部分に、第３脚周り弾性部材４３を介して前後の繋がりが生じ、第１ないし第３脚周り弾性部材４１〜４３の引き締め力をおむつ１の脚周りに沿った部分を一体的に作用させることができ、おむつ１の脚周り部分を着用者の脚周りに確実に密着させることができる。
【００８４】
本実施形態では、臀部弾性部材４４が、カバー部材１１におけるファスニング部材１３のファスニング基材１３１の前側の縁部Ｐ３よりも前側の領域に付与されている。このため、おむつ１１の装着時にカバー部材１１の後背部１１ｂに、臀部弾性部材４４の収縮力により収縮又は皺が生じる度合い及び範囲を抑制できる。その結果、おむつ１の後背部１１ｂにおいて臀部弾性部材４４の収縮力により収縮又は皺が生じる度合い及び範囲が大きくなり、おむつ１の装着がしににくなる等の不都合を回避できる。
【００８５】
なお、上述の図３及び図４に示す繊維集合体１２１の変形例としては、以下の図８及び図９に示す構成が挙げられる。図８に示す構成では、繊維集合体１２１に長孔部１２１ｄの代わりに、縦方向Ｙに沿って延びる少なくとも１つ（図８の構成では複数（例えば、２つ））の溝１２１ｇが設けられている。また、図９に示す構成では、繊維集合体１２１が、横方向Ｘに間隔をあけて配置された複数（図９に示す構成では３つ）の部分集合体１２１ｓ〜１２１ｕによって構成され、部分集合体１２１ｓ〜１２１ｕの間に、略縦方向Ｙに沿って延びる隙間部１２１ｖ，１２１ｗが設けられている。この図８及び図９に示す構成においても、上述の図３及び図４に示す構成とほぼ同様効果が得られる。
【符号の説明】
【００８６】
１  おむつ、１１  カバー部材、１１ａ  前腹部、１１ｂ  後背部、１１ｃ  股部、１１ｄ  ファスナー接合部、１１ｆ  股下部、１１ｇ  臀部、１２  吸収コア、１２１  吸収コア、１２１  繊維集合体、１２１ａ，１２１ｂ  拡幅部、１２１ｃ  括れ部、１２１ｄ  長孔部、１２１ｇ  溝、１２１ｓ〜１２１ｕ  部分集合体、１２１ｖ，１２１ｗ  隙間部、１２２  包装シート、１３  ファスニング部材、１３１  ファスニング基材、１３１ａ  第１タブ、１３１ｂ  第２タブ、１３２  第１止着エレメント、１３３  第２止着エレメント、１４  止着シート、２１  バックシート、２１１  不織布シート、２１２  樹脂フィルム、２２  トップシート、２３  サイドシート、２３１  起立部、３１〜３３  弾性部材、４１，４１１  第１脚周り弾性部材、４２，４２１  第２脚周り弾性部材、４３  第３脚周り弾性部材、４４，４４１  臀部弾性部材、４５  前側ウエスト弾性部材、４６  後側ウエスト弾性部材、Ｘ  横方向、Ｙ  縦方向。
【図１】
2011000193.tif 000003
【図２】
2011000193.tif 000004
【図３】
2011000193.tif 000005
【図４】
2011000193.tif 000006
【図５】
2011000193.tif 000007
【図６】
2011000193.tif 000008
【図７】
2011000193.tif 000009
【図８】
2011000193.tif 000010
【図９】
2011000193.tif 000011